(57)【要約】【課題】冷却ファンからの風を複数の流路で流したときに、複数の冷却対象（電子機器や熱を伴う部品）をそれぞれ効率的に冷却できるようにする。【解決手段】送風ダクト３０は、冷却ファンからの風を取り入れる取入れ部３７と、第１冷却対象に向けて風を排出する第１排気孔３１と、第２冷却対象に向けて風を排出する第２排気孔３２と、取入れ部３７から取り入れた風の流れが第１排気孔３１に向かうように進行方向を変えて風を流す第１流路３３と、取入れ部３７から取り入れた風の流れが第２排気孔３２に向かうように進行方向を変えて風を流す第２流路３４と、第１流路３３と第２流路３４との間を仕切る仕切り板とを有する。【選択図】図６
2010134028.tif 000002
【特許請求の範囲】
【請求項１】
電子機器の冷却のための風を発生させる冷却ファンと、
前記冷却ファンに接続され、前記冷却ファンによって発生した風を前記電子機器に向けて進行方向を変えて案内する送風ダクトと
を備え、
前記送風ダクトは、
前記冷却ファンからの風を取り入れる取入れ部と、
前記電子機器の第１冷却対象に向けて風を排出する第１排気部と、
前記電子機器の第２冷却対象に向けて風を排出する第２排気部と、
前記取入れ部から取り入れた風の流れが前記第１排気部に向かうように進行方向を変えて風を流す第１流路と、
前記取入れ部から取り入れた風の流れが前記第２排気部に向かうように進行方向を変えて風を流す第２流路と、
前記第１流路と前記第２流路との間を仕切る第１仕切り板と
を有する電子機器用送風装置。
【請求項２】
請求項１に記載の電子機器用送風装置において、
前記冷却ファンは、遠心方向に風を発生させる回転翼を有し、
前記第１仕切り板は、前記第１流路に入る風と前記第２流路に入る風とが前記回転翼の回転中心軸の方向に分かれるように配置されている
電子機器用送風装置。
【請求項３】
請求項１に記載の電子機器用送風装置において、
前記第１仕切り板は、前記第１流路よりも前記第２流路に多くの風が流れるように配置されている
電子機器用送風装置。
【請求項４】
請求項１に記載の電子機器用送風装置において、
前記送風ダクトは、
前記第１流路と別の経路で、前記取入れ部から取り入れた風の流れが前記第１排気部に向かうように進行方向を変えて風を流す第３流路と、
前記第３流路と前記第１流路又は前記第２流路との間を仕切る第２仕切り板と
を有する電子機器用送風装置。
【請求項５】
熱を伴う部品の冷却のための風を発生させる冷却ファンと、
前記冷却ファンに接続され、前記冷却ファンによって発生した風を前記部品に向けて進行方向を変えて案内する送風ダクトと
からなる送風装置を備え、
前記送風ダクトは、
前記冷却ファンからの風を取り入れる取入れ部と、
前記電子機器の第１冷却対象に向けて風を排出する第１排気部と、
前記電子機器の第２冷却対象に向けて風を排出する第２排気部と、
前記取入れ部から取り入れた風の流れが前記第１排気部に向かうように進行方向を変えて風を流す第１流路と、
前記取入れ部から取り入れた風の流れが前記第２排気部に向かうように進行方向を変えて風を流す第２流路と、
前記第１流路と前記第２流路との間を仕切る仕切り板と
を有する送風装置付き電子機器。
【請求項６】
請求項５に記載の送風装置付き電子機器において、
映像を映し出すための光を出射する光源と、
前記光源から出射された光の偏光方向を変換する変換素子と、
前記変換素子によって偏光された光の変調を行うライトバルブと、
前記ライトバルブによって変調された光を色合成するクロスプリズムと、
前記クロスプリズムによって色合成された光を投射する投射レンズと
を備え、
前記送風ダクトの前記第１排気部は、前記変換素子の周辺部に向けて風を排出するものであり、
前記送風ダクトの前記第２排気部は、前記クロスプリズムの周辺部に向けて風を排出するものである
送風装置付き電子機器。
【発明の詳細な説明】
【技術分野】
【０００１】
本発明は、光を投射することによって映像をスクリーン等に映し出す投射型表示装置等の電子機器に使用する電子機器用送風装置及び送風装置付き電子機器に係るものである。そして、詳しくは、冷却ファンからの風を複数の流路で流し、複数の冷却対象（電子機器や熱を伴う部品）を効率的に冷却できるようにした技術に関するものである。
【背景技術】
【０００２】
従来から、電子機器として、例えば、投射型表示装置（液晶プロジェクタ等）が知られている。この投射型表示装置は、リフレクタに支持されたランプユニット等の光源と、光源から出射された光の偏光方向を変換するＰＳ変換素子と、ＰＳ変換素子によって偏光された光の変調を行うライトバルブと、ライトバルブによって変調された光を色合成するクロスプリズムと、クロスプリズムによって色合成された光を投射する投射レンズとを備えている。そして、投射レンズから投射された映像をスクリーン等に映し出すようになっている。
【０００３】
ここで、投射型表示装置の使用時には、各種の光学部品（ＰＳ変換素子、クロスプリズム等）が熱を伴うようになるので、送風装置からの風によって光学部品を冷却し、その光学部品を限界保証温度以下に保持している。そして、送風装置として、冷却のための風を流す第１流路と第２流路とを有し、１つの冷却ファンからの送風を第１流路でライトバルブやクロスプリズムに流し、第２流路でＰＳ変換素子に流すようにした技術が開示されている（例えば、特許文献１参照）。
【特許文献１】特開２００６−９１１４３号公報
【発明の開示】
【発明が解決しようとする課題】
【０００４】
しかし、上記した特許文献１の技術は、第１流路を流れる風の進行方向の延長線上に第２流路を設けている。そして、第１流路及び第２流路には、風の進行方向に対して垂直方向にそれぞれ第１排気孔及び第２排気孔が形成されている。そのため、第１流路を流れる風は、第１排気孔からほとんど排出されず、そのまま真っ直ぐに第２流路に向かい、第２排気孔から排出されるようになる。その結果、第１排気孔から排出される風によって冷却するライトバルブ及びクロスプリズムと、第２排気孔から排出される風によって冷却するＰＳ変換素子との間で、冷却効率に大きな差が生じるという問題があった。
【０００５】
したがって、本発明が解決しようとする課題は、冷却ファンからの風を複数の流路で流したときに、複数の冷却対象（電子機器や熱を伴う部品）をそれぞれ効率的に冷却できるようにすることである。
【課題を解決するための手段】
【０００６】
本発明は、以下の解決手段によって上述の課題を解決する。
本発明の請求項１に記載の発明は、電子機器の冷却のための風を発生させる冷却ファンと、前記冷却ファンに接続され、前記冷却ファンによって発生した風を前記電子機器に向けて進行方向を変えて案内する送風ダクトとを備え、前記送風ダクトは、前記冷却ファンからの風を取り入れる取入れ部と、前記電子機器の第１冷却対象に向けて風を排出する第１排気部と、前記電子機器の第２冷却対象に向けて風を排出する第２排気部と、前記取入れ部から取り入れた風の流れが前記第１排気部に向かうように進行方向を変えて風を流す第１流路と、前記取入れ部から取り入れた風の流れが前記第２排気部に向かうように進行方向を変えて風を流す第２流路と、前記第１流路と前記第２流路との間を仕切る第１仕切り板とを有する電子機器用送風装置である。
【０００７】
また、本発明の請求項５に記載の発明は、熱を伴う部品の冷却のための風を発生させる冷却ファンと、前記冷却ファンに接続され、前記冷却ファンによって発生した風を前記部品に向けて進行方向を変えて案内する送風ダクトとからなる送風装置を備え、前記送風ダクトは、前記冷却ファンからの風を取り入れる取入れ部と、前記電子機器の第１冷却対象に向けて風を排出する第１排気部と、前記電子機器の第２冷却対象に向けて風を排出する第２排気部と、前記取入れ部から取り入れた風の流れが前記第１排気部に向かうように進行方向を変えて風を流す第１流路と、前記取入れ部から取り入れた風の流れが前記第２排気部に向かうように進行方向を変えて風を流す第２流路と、前記第１流路と前記第２流路との間を仕切る第１仕切り板とを有する送風装置付き電子機器である。
【０００８】
（作用）
上記の請求項１及び請求項５に記載の発明は、取入れ部から取り入れた風の流れが第１排気部に向かうように進行方向を変えて風を流す第１流路と、取入れ部から取り入れた風の流れが第２排気部に向かうように進行方向を変えて風を流す第２流路とを有している。そして、この第１流路と第２流路との間は、第１仕切り板によって仕切られている。そのため、冷却ファンが１つであっても、冷却ファンからの風は、第１流路を流れる風と第２流路を流れる風とに分かれるようになる。
【発明の効果】
【０００９】
上記の発明によれば、冷却ファンからの風が第１流路を流れる風と第２流路を流れる風とに分かれる。そして、第１流路を流れる風は第１排気部に向かい、第２流路を流れる風は第２排気部に向かう。そのため、第１流路を流れて第１排気部から排出される風と、第２流路を流れて第２排気部から排出される風とにより、それぞれ別々の冷却対象（電子機器や熱を伴う部品）を冷却できる。したがって、複数の冷却対象に対し、効率的な冷却を行うことができる。
【発明を実施するための最良の形態】
【００１０】
以下、図面を参照して、本発明を実施するための最良の形態（以下、実施の形態とする）について説明する。
ここで、本発明における電子機器は、以下の実施の形態では、投射型表示装置である液晶プロジェクタ１０とする。また、本発明の送風装置は、以下の実施の形態では、液晶プロジェクタ１０に組み込まれたシロッコファン２０（本発明における冷却ファンに相当するもの）及び送風ダクト３０であるとする。
【００１１】
［電子機器（液晶プロジェクタ１０）の構成例］
図１は、本発明の電子機器の一実施形態としての、液晶プロジェクタ１０の内部構造を示す斜視図である。
また、図２は、本発明の電子機器の一実施形態としての、液晶プロジェクタ１０の内部構造を示す平面図である。
さらにまた、図３は、図１及び図２に示す液晶プロジェクタ１０における光学ユニット４０の内部構造を示す平面図である。
なお、この液晶プロジェクタ１０には、本発明の送風装置の一実施形態としての、シロッコファン２０及び送風ダクト３０が組み込まれている。
【００１２】
液晶プロジェクタ１０は、図１及び図２に示すように、直方体状のケース１１の内部に光学ユニット４０や電源ユニット６０を収納したものである。この光学ユニット４０は、映像を映し出すための光を出射するランプユニット４１（本発明における光源に相当するもの）と、ランプユニット４１から出射された光の変調を行うライトバルブ４２等とを有している。そして、光学ユニット４０のライトバルブ４２に近い側面に、レンズ保持枠１２が取り付けられている。また、レンズ保持枠１２には、先端部がケース１１の側面から突出するようにして、映像を投射する投射レンズ１３が保持されている。そのため、ランプユニット４１から出射された光をライトバルブ４２に照射することによって得られた映像は、投射レンズ１３を介してスクリーン等に映し出されることとなる。
【００１３】
ここで、光学ユニット４０内には、図３に示すように、ランプユニット４１やライトバルブ４２（４２Ｒ，４２Ｇ，４２Ｂ）の他、フライアイレンズ４３、ＰＳ変換素子４４（本発明における第１冷却対象である変換素子に相当するもの）、コンデンサレンズ４５、ダイクロイックミラー４６ａ，４６ｂ、全反射ミラー４７ａ，４７ｂ，４７ｃ、リレーレンズ４８ａ，４８ｂ、フィールドレンズ４９（４９Ｒ，４９Ｇ，４９Ｂ）、入射側偏光板５０（５０Ｒ，５０Ｇ，５０Ｂ）、出射側偏光板５１（５１Ｒ，５１Ｇ，５１Ｂ）、及びクロスプリズム５２（本発明における第２冷却対象に相当するもの）が設けられている。なお、ライトバルブ４２Ｒは、ランプユニット４１から出射された光の中で、赤色（Ｒ）の波長域の光を変調するものである。また、ライトバルブ４２Ｇは、緑色（Ｇ）の波長域の光を変調するものである。さらにまた、ライトバルブ４２Ｂは、青色（Ｂ）の波長域の光を変調するものである。そして、フィールドレンズ４９、入射側偏光板５０、及び出射側偏光板５１は、ライトバルブ４２Ｒ，４２Ｇ，４２Ｂに対応してそれぞれ設けられている。
【００１４】
このような光学ユニット４０において、光の出射側から各光学部品を順に説明すると、ランプユニット４１は、リフレクタ４１ａに放電ランプ４１ｂを取り付けたものである。そして、リフレクタ４１ａの開口面には、防護ガラス４１ｃが取り付けられている。そのため、放電ランプ４１ｂが放射する光は、リフレクタ４１ａに反射され、防護ガラス４１ｃから出射する。
【００１５】
次に、フライアイレンズ４３は、ランプユニット４１から離間した位置に２つ配置されている。このフライアイレンズ４３は、強度分布を有するランプユニット４１からの光を多数の光スポットに分割し、ライトバルブ４２（４２Ｒ，４２Ｇ，４２Ｂ）の画面全体の輝度分布を均一にするためのものである。
【００１６】
また、フライアイレンズ４３に近接して、ＰＳ変換素子４４及びコンデンサレンズ４５が順に配置されている。このＰＳ変換素子４４は、誘電体膜がコーティングされた短冊状のガラスを接着材ではり合わせて形成した偏光ビームスプリッタと、これに対応して間欠的に設けられた位相差板とからなっている。そして、ＰＳ変換素子４４により、ランプユニット４１からの光の偏光方向が変換される（偏光方向がそろえられる）こととなる。
【００１７】
さらにまた、ダイクロイックミラー４６ａ，４６ｂは、コンデンサレンズ４５を挟んでＰＳ変換素子４４の反対側に位置し、コンデンサレンズ４５から所定の距離だけ離間して配置されている。さらに、ダイクロイックミラー４６ａ，４６ｂは、所定の距離だけ離間して、それぞれ同じ向きに４５°傾斜するように配置されている。そして、ダイクロイックミラー４６ａは、コンデンサレンズ４５を通過した光の中で、青色（Ｂ）の波長域の光だけを９０°反射する。一方、ダイクロイックミラー４６ａで反射されない波長域の光の中で、緑色（Ｇ）の波長域の光は、ダイクロイックミラー４６ｂによって９０°反射される。なお、ダイクロイックミラー４６ａによって反射された青色（Ｂ）の波長域の光は、離間して配置されている全反射ミラー４７ａによって再び９０°反射される。
【００１８】
したがって、コンデンサレンズ４５を通過した光の中で、赤色（Ｒ）の波長域の光だけは、ダイクロイックミラー４６ａ及びダイクロイックミラー４６ｂで反射されず、そのまま直進する。そのため、ダイクロイックミラー４６ｂの後方には、リレーレンズ４８ａ及び全反射ミラー４７ｂがそれぞれ離間して配置されており、全反射ミラー４７ｂによって赤色（Ｒ）の波長域の光が９０°反射される。さらに、赤色（Ｒ）の波長域の光は、離間して配置されているリレーレンズ４８ｂを透過し、全反射ミラー４７ｃによって再び９０°反射される。
【００１９】
このように、ダイクロイックミラー４６ａ，４６ｂによって赤色（Ｒ）の波長域の光、緑色（Ｇ）の波長域の光、及び青色（Ｂ）の波長域の光が分離される。そして、全反射ミラー４７ａによって反射された青色（Ｂ）の波長域の光は、  離間して配置されているフィールドレンズ４９Ｂに入射する。また、ダイクロイックミラー４６ｂによって反射された緑色（Ｇ）の波長域の光は、フィールドレンズ４９Ｇに入射する。さらにまた、全反射ミラー４７ｃによって反射された赤色（Ｒ）の波長域の光は、フィールドレンズ４９Ｒに入射する。
【００２０】
フィールドレンズ４９Ｒ，４９Ｇ，４９Ｂの出射側には、それぞれに対応する入射側偏光板５０Ｒ，５０Ｇ，５０Ｂが離間して配置されている。そのため、各フィールドレンズ４９Ｒ，４９Ｇ，４９Ｂにそれぞれ入射した赤色（Ｒ）、緑色（Ｇ）、及び青色（Ｂ）の波長域の光は、入射側偏光板５０Ｒ，５０Ｇ，５０Ｂを透過して所定の偏光方向の光となる。
【００２１】
また、入射側偏光板５０Ｒ，５０Ｇ，５０Ｂに対向して、光変調素子であるライトバルブ４２Ｒ，４２Ｇ，４２Ｂが離間して配置されている。そして、ライトバルブ４２Ｒ，４２Ｇ，４２Ｂにおいて、印加された画像信号に基づいて、光の偏光面が回転される。偏光面が回転された光の所定の偏光成分は、ライトバルブ４２Ｒ，４２Ｇ，４２Ｂから離間して配置された出射側偏光板５１Ｒ，５１Ｇ，５１Ｂを透過し、映像光として、クロスプリズム５２の各入射面（投射レンズ１３が配置されていない３側面）に入射して色合成される。そのため、色合成された光が投射レンズ１３から出射されるようになり、スクリーン等にフルカラーの映像が映し出されることとなる。
【００２２】
このように、ランプユニット４１から出射された光は、クロスプリズム５２によって色合成され、投射レンズ１３から出射されるが、クロスプリズム５２等は、映像の投射時に熱を伴う部品である。また、ＰＳ変換素子４４等は、ランプユニット４１からの光を受けるため、高温に加熱される部品である。そのため、熱を伴うクロスプリズム５２やＰＳ変換素子４４の周辺部にそれぞれ風を当てて冷却し、これらを限界保証温度以下に保持する必要が生じる。
【００２３】
しかし、ＰＳ変換素子４４とクロスプリズム５２とを別々のファン（２つのファン）によって冷却すると、液晶プロジェクタ１０が大型化してしまうだけでなく、ファンが２つになることによるコストアップ、ファンノイズの増加といった問題が生じる。そこで、本実施形態の液晶プロジェクタ１０は、図１及び図２に示すように、光学ユニット４０の後ろ側に１つのシロッコファン２０を配置し、このシロッコファン２０により、ＰＳ変換素子４４やクロスプリズム５２を冷却するための風を発生させている。
【００２４】
ここで、シロッコファン２０からの風は、シロッコファン２０に接続された送風ダクト３０（図２参照）によって案内され、図３に示すＰＳ変換素子４４及びクロスプリズム５２に向かう。そのため、光学ユニット４０内のＰＳ変換素子４４及びクロスプリズム５２がそれぞれ限界保証温度以下に保持される。また、光学ユニット４０内を流れて温められた空気は、ケース１１の側面に配置された２つの排気ファン１４によってケース１１の外部に排出される。
【００２５】
［送風装置（シロッコファン２０及び送風ダクト３０）の構成例］
図４は、本発明の送風装置の一実施形態としての、シロッコファン２０及び送風ダクト３０を示す斜視図である。
図４に示すように、シロッコファン２０は、ファンケース２１を有している。そして、ファンケース２１の上部に形成された４つの吸気孔２１ａから空気を取り入れ、送風ダクト３０に風を送り込むようになっている。
【００２６】
送風ダクト３０は、シロッコファン２０に接続され、シロッコファン２０によって発生した風をＰＳ変換素子４４（図３参照）及びクロスプリズム５２（図３参照）に向けて進行方向を変えて案内するものである。具体的には、送風ダクト３０は、液晶プロジェクタ１０（図１及び図２参照）の第１冷却対象であるＰＳ変換素子４４の周辺部に向けて風を排出する第１排気孔３１（本発明における第１排気部に相当するもの）と、第２冷却対象であるクロスプリズム５２の周辺部に向けて風を排出する第２排気孔３２（本発明における第２排気部に相当するもの）とを有している。
【００２７】
また、送風ダクト３０は、シロッコファン２０から取り入れた風の流れが第１排気孔３１に向かうように進行方向を変えて風を流す第１流路３３と、第２排気孔３２に向かうように進行方向を変えて風を流す第２流路３４とを有している。さらにまた、第１流路３３と別の経路で、シロッコファン２０から取り入れた風の流れが第１排気孔３１に向かうように進行方向を変えて風を流す第３流路３５を有している。
【００２８】
図５は、図４に示すシロッコファン２０の内部構造を示す平面図及び側面図である。
図５（ａ）に示すように、シロッコファン２０は、ファンケース２１の内部に回転自在の回転翼２２を収納したものである。具体的には、ファンケース２１には、回転翼２２の回転中心軸２２ａ（図５（ｂ）参照）と直交する平面で見て円弧状の円弧壁２１ａが形成されている。そして、円弧壁２１ａの内側は、回転翼２２を回転自在に収納する回転翼収納部２３となっている。さらに、ファンケース２１は、回転翼収納部２３から回転翼２２の遠心方向に直線状の直線壁２１ｂが突出しており、この直線壁２１ｂの内側は、回転翼２２によって発生した遠心方向の風を吐出する吐出部２４となっている。
【００２９】
また、回転翼２２の外周部とファンケース２１の円弧壁２１ａとの間の空間が送風空間２５として形成されている。この送風空間２５は、回転翼２２の回転駆動方向（実施形態では、時計回りの方向）において、吐出部２４に近づくにつれて徐々に幅が広くなるように形成されている。具体的には、吐出部２４から離れた部分が最も幅の狭い最小幅部２５ａとなり、吐出部２４に近い部分が最も幅の広い最大幅部２５ｂとなっている。
【００３０】
このようなシロッコファン２０は、回転翼２２を時計回りに回転駆動させることによって送風空間２５内に遠心方向の風が発生し、その風は、ファンケース２１の円弧壁２１ａに沿って矢印のように流れる。また、送風空間２５の最小幅部２５ａから最大幅部２５ｂに向かうにつれて風量が多くなる。そして、最大幅部２５ｂからは、ファンケース２１の直線壁２１ｂに沿って矢印のように風が流れ、直線壁２４ａと平行に（吐出部２４から真っ直ぐに）風が吐出されるようになる。
【００３１】
ここで、図５（ｂ）に示す側面図で見て、吐出部２４の厚さ方向の上側から吐出された風は、第１流路３３に送り込まれる。一方、吐出部２４の下側から吐出された風は、第２流路３４及び第３流路３５に送り込まれる。これは、発生した風の流れが吐出部２４の直線壁２１ｂ（図５（ａ）参照）に沿って偏って流れるため、その風を適正に分けて利用するためである。具体的には、吐出部２４の幅方向で風の流れを左右に分けると、直線壁２１ｂに近い側に多く送り込まれることとなる。しかし、吐出部２４の厚さ方向で上下に分ければ、送り込まれる風量の偏りを小さくできるのである。
【００３２】
図６は、図４に示す送風ダクト３０の表面側を示す斜視図である。
また、図７は、図６に示す送風ダクト３０におけるＡ−Ａ’断面及びＢ−Ｂ’断面を示す斜視図である。
さらにまた、図８は、図４に示す送風ダクト３０の裏面側を示す斜視図である。
図６に示すように、送風ダクト３０は、シロッコファン２０（図５参照）を取り付けるファン取付け部３６と、シロッコファン２０からの風を取り入れる取入れ部３７とを有している。
【００３３】
ここで、取入れ部３７から取り入れた風は、第１流路３３、第２流路３４、及び第３流路３５を流れ、進行方向を変えられる。そして、第１流路３３及び第３流路３５を流れる風は、第１排気孔３１から排出されるようになっている。また、第２流路３４を流れる風は、第２排気孔３２から排出されるようになっている。なお、取入れ部３７側では、第２流路３４と第３流路３５とが共通の流路となっている。
【００３４】
このように、シロッコファン２０（図５参照）によって発生した風は、取入れ部３７から取り入れられ、第１排気孔３１及び第２排気孔３２から排出される。そのため、取入れ部３７には、図７（ａ）に示すように、第１仕切り板３８（本発明における第１仕切り板及び仕切り板に相当するもの）が設けられている。この第１仕切り板３８は、第１流路３３と第２流路３４（及び第３流路３５）との間を仕切るものであり、第１流路３３に入る風と第２流路３４（及び第３流路３５）に入る風とが回転翼２２の回転中心軸２２ａの方向に分かれるように配置されている。具体的には、第１仕切り板３８は、第１流路３３と第２流路３４（及び第３流路３５）とが上下方向に２分割されるように、下から上に向かって立ち上がっている。そして、第１仕切り板３８の上方が開口部となっており、この開口部から先が第１流路３３につながっている。そのため、取入れ部３７（図６参照）の上部から取り入れられた風は、第１流路３３に送り込まれることとなる。
【００３５】
また、図７（ｂ）に示すように、第１流路３３は、送風ダクト３０の側壁により、取入れ部３７（図６参照）の上部から取り入れられた風の流れが途中から下方に向かうように形成されている。さらに、その先では、風の流れが第１排気孔３１に向けて右方に向かうように形成されている。そのため、取入れ部３７の上部から取り入れられた風は、第１流路３３によって進行方向が変えられ、最終的に、図６に示すように、第１排気孔３１の下方から上方に向けて排出されるようになる。
【００３６】
一方、取入れ部３７（図６参照）の下部から取り入れられた風は、第１仕切り板３８に衝突して進行方向が変えられ、右方に向かう第２流路３４（及び第３流路３５）を通るようになる。ここで、第１仕切り板３８は、第１流路３３よりも第２流路３４（及び第３流路３５）に多くの風が流れるように配置されている。具体的には、第１流路３３の入口となる第１仕切り板３８の上方の開口部よりも、第２流路３４（及び第３流路３５）に風が向かうようにする第１仕切り板３８の立上り部の方が大きくなっている。
【００３７】
また、取入れ部３７（図６参照）側で共通の流路となっていた第２流路３４と第３流路３５とは、図８に示すように、途中から分かれる。具体的には、第２流路３４と第３流路３５との間は、第２仕切り板３９により、第２流路３４よりも第３流路３５の方が広くなるように仕切られる。そして、第２流路３４は、風の流れが第２排気孔３２に向かうように形成されている。そのため、取入れ部３７の下部から取り入れられた風の多くは、第２流路３４によって進行方向が変えられ、最終的に、図６に示すように、第２排気孔３２の下方から上方に向けて排出されるようになる。
【００３８】
一方、第３流路３５は、風の流れが第１排気孔３１に向かうように形成されている。そのため、取入れ部３７の下部から取り入れられた風の一部は、第３流路３５によって進行方向が変えられ、最終的に、図６に示すように、第１排気孔３１の下方から上方に向けて排出されるようになる。したがって、第３流路３５は、第１流路３３と別の経路で、風の流れが第１排気孔３１に向かうように進行方向を変えて風を流すものとなっている。
【００３９】
このように、取入れ部３７（図６参照）の上部から取り入れられた風は、第１流路３３により、風の流れが第１排気孔３１に向かうように進行方向を変えられる。また、取入れ部３７の下部から取り入れられた風の多くは、第２流路３４により、風の流れが第２排気孔３２に向かうように進行方向を変えられる。さらにまた、取入れ部３７の下部から取り入れられた風の一部は、第３流路３５により、風の流れが第１排気孔３１に向かうように進行方向を変えられる。そして、最終的には、第１排気孔３１よりも第２排気孔３２から多くの風が排出されるようになる。
【００４０】
ここで、第１排気孔３１は、液晶プロジェクタ１０（図１及び図２参照）の第１冷却対象であるＰＳ変換素子４４（図３参照）の周辺部に向けて風が排出されるように配置されている。一方、第２排気孔３２は、液晶プロジェクタ１０の第２冷却対象であるクロスプリズム５２（図３参照）の周辺部に向けて風が排出されるように配置されている。そのため、本実施形態の液晶プロジェクタ１０は、１つのシロッコファン２０（図５参照）からの風が第１流路３３、第２流路３４、及び第３流路３５を別々に流れる。そして、第１流路３３及び第３流路３５を流れた風が第１排気孔３１から排出され、ＰＳ変換素子４４を冷却する。また、第２流路３４を流れた風が第２排気孔３２から排出され、クロスプリズム５２を冷却する。なお、ＰＳ変換素子４４は、ランプユニット４１（図３参照）からの光を受けて高温に加熱される部品であり、クロスプリズム５２は、映像の投射時に熱を伴う部品である。
【００４１】
さらに、第１流路３３、第２流路３４、及び第３流路３５を流れた風は、第１排気孔３１よりも第２排気孔３２から多く排出される。そのため、本実施形態の液晶プロジェクタ１０（図１及び図２参照）では、ＰＳ変換素子４４（図３参照）よりもクロスプリズム５２（図３参照）が優先的に冷却されることとなる。その結果、各冷却対象の温度等に応じてそれぞれを効率的に冷却できるようになる。
【００４２】
以上、本発明の実施形態について説明したが、本発明は、上述した実施形態に限定されることなく、種々の変形が可能である。例えば、本実施形態では、電子機器として、投射型表示装置である液晶プロジェクタ１０を例に挙げるとともに、ＰＳ変換素子４４及びクロスプリズム５２を冷却対象とした。しかし、これに限らず、ランプユニット４１やライトバルブ４２等の熱を伴う各種の部品を冷却対象とすることもできる。また、液晶プロジェクタに限らず、液晶ディスプレイ、ノート型パーソナルコンピュータ等の各種の電子機器や、これらの電子機器のバックライト、ＣＰＵ等の熱を伴う部品の冷却に広く適用可能である。
【図面の簡単な説明】
【００４３】
【図１】本発明の電子機器の一実施形態としての、液晶プロジェクタの内部構造を示す斜視図である。
【図２】本発明の電子機器の一実施形態としての、液晶プロジェクタの内部構造を示す平面図である。
【図３】図１及び図２に示す液晶プロジェクタにおける光学ユニットの内部構造を示す平面図である。
【図４】本発明の送風装置の一実施形態としての、シロッコファン及び送風ダクトを示す斜視図である。
【図５】図４に示すシロッコファンの内部構造を示す平面図及び側面図である。
【図６】図４に示す送風ダクトの表面側を示す斜視図である。
【図７】図６に示す送風ダクトにおけるＡ−Ａ’断面及びＢ−Ｂ’断面を示す斜視図である。
【図８】図４に示す送風ダクトの裏面側を示す斜視図である。
【符号の説明】
【００４４】
１０  液晶プロジェクタ（電子機器）
１３  投射レンズ
２０  シロッコファン（冷却ファン）
２２  回転翼
２２ａ  回転中心軸
３０  送風ダクト
３１  第１排気孔（第１排気部）
３２  第２排気孔（第２排気部）
３３  第１流路
３４  第２流路
３５  第３流路
３７  取入れ部
３８  第１仕切り板（仕切り板）
３９  第２仕切り板
４１  ランプユニット（光源）
４２  ライトバルブ
４４  ＰＳ変換素子（第１冷却対象である変換素子）
５２  クロスプリズム（第２冷却対象）
【図１】
2010134028.tif 000003
【図２】
2010134028.tif 000004
【図３】
2010134028.tif 000005
【図４】
2010134028.tif 000006
【図５】
2010134028.tif 000007
【図６】
2010134028.tif 000008
【図７】
2010134028.tif 000009
【図８】
2010134028.tif 000010